(57)【要約】【課題】  玄関等に設けられる戸体を揺動自在に取り付けるための丁番を、外部から覆って見えなくして外観を向上させるとともに、防犯性の高い戸体に構成する。【解決手段】  金属製の板材２ａ、２ｂを用いて形成した本体部２に、左右、上下の連結部材７、８、９、１０を螺子１１、１２、１３、１４を用いて予め一体化する一方、ベース体６に螺子６ｂを用いて木製パネル体で構成された表面板３を固定し、前記連結部材７、８、９を螺子１１ａ、１２ａ、１３ａを用いてベース体６に固定して戸体１を組み込むとともに、ベース体６の左右に左右の延出片部６ｇ、６ｈを折曲形成し、右側（戸尻側）の延出片部６ｈにより丁番４を表側から覆う構成とする。【選択図】        図４
2006169876.tif 000002
【特許請求の範囲】
【請求項１】
建築物の開口部に、丁番を介して開閉揺動自在に支持される戸体であって、該戸体には、丁番を表側から覆蓋する縁部が形成されていることを特徴とする建物用戸体。
【請求項２】
請求項１において、縁部は、戸体を構成する表面板に一体的に形成されている建物用戸体。
【請求項３】
請求項１または２において、縁部は、表面板と面一状に形成されている建物用戸体。
【請求項４】
請求項１乃至３の何れかにおいて、戸体の戸尻側の側部には、丁番の軸部の配設スペースとなる凹部が形成され、丁番は戸体の板厚内に設けられている建物用戸体。
【請求項５】
請求項１乃至４の何れかにおいて、戸体は、金属製の戸体本体部に表面材を固定して構成されるものとし、縁部は表面材に一体的に形成されている建物用戸体。
【請求項６】
請求項５において、表面材は、金属製のベース体にパネル体を一体化して構成されるものとし、縁部はベース体に一体形成されている建物用戸体。
【発明の詳細な説明】
【技術分野】
【０００１】
本発明は、集合住宅の玄関等、建築物の開口部に設けられる建物用戸体の技術分野に属するものである。
【背景技術】
【０００２】
一般に、開口部を開閉する戸体（ドア）の中には、該戸体の見付け幅方向一方の端縁部を開口部の一側縁部に枢支して、戸体を開閉揺動させるように構成したものが知られている。このような戸体を例えばマンション等の住宅に設ける場合、防火、防犯の観点から金属製のものが用いられるのが一般的である。そして、このような戸体を開口部に開閉揺動自在に枢支する手段としては、丁番を用いる丁番方式が提唱されている。
【０００３】
前記丁番方式により戸体を取り付ける場合では、丁番の軸部は外部に露出された状態で取り付けられている（特許文献１）。ところが、このようにすると、軸部が露出する分、外観（意匠性）が劣るうえ、軸部を外部から無理矢理破壊されたような場合では、戸体が、仮令施錠してあっても戸尻側から開放してしまい防犯性が損なわれるという別の問題もある。そこで、戸体の上下に、板厚中心にピボット軸を設け、該ピボット軸を躯体側に支持させるように構成した中心吊り方式の戸体が提唱されており、このものでは、ピボット軸を揺動支点として開閉揺動させる構成となっている（特許文献２）。
【特許文献１】特開平８−４４３６号公報
【特許文献２】特開平１０−２２０１０４号公報
【発明の開示】
【発明が解決しようとする課題】
【０００４】
前記特許文献２のものは、従来の丁番式のものに比べて、ピボット軸が外部に露出することがなく外観性に優れるうえ、防犯性にも優れるが、揺動支点が戸体の板厚内にあって、戸枠（枠体）の内側に位置するものとなるため、気密性を確保するのが難しいという問題がある。そのうえ、戸体の開閉揺動のスペースを確保するためには、戸枠用のスペースを大きくしなければならず、開口部が小さくなってしまうという別の問題もあり、取り付け箇所によっては丁番方式にせざるを得ない場合がある。そこで、丁番方式にしたものであっても、外観が損なわれることがなく、しかも、防犯性に優れたものが要求され、ここに本発明の解決すべき課題がある。
【課題を解決するための手段】
【０００５】
本発明は、上記の如き実情に鑑みこれらの課題を解決することを目的として創作されたものであって、請求項１の発明は、建築物の開口部に、丁番を介して開閉揺動自在に支持される戸体であって、該戸体には、丁番を表側から覆蓋する縁部が形成されていることを特徴とするものである。
そして、このようにすることにより、丁番を用いて開閉揺動自在に支持される丁番式の戸体でありながら、丁番が外部に露出することがなく優れた外観を備え、かつ、防犯性の高い戸体とすることができる。
請求項２の発明は、請求項１において、縁部は、戸体を構成する表面板に一体的に形成されているものであり、このようにすることにより、縁部が壊されにくくなって、防犯性が一層優れる。
請求項３の発明は、請求項１または２において、縁部は、表面板と面一状に形成されているものであり、このようにすることにより、一層優れた意匠の戸体とすることができる。
請求項４の発明は、請求項１乃至３の何れかにおいて、戸体の戸尻側の側部には、丁番の軸部の配設スペースとなる凹部が形成され、丁番は戸体の板厚内に設けられているものであり、このようにすることにより、丁番の軸部も縁部によって覆われて、簡単な構成でありながら優れた意匠の戸体とすることができる。
請求項５の発明は、請求項１乃至４の何れかにおいて、戸体は、金属製の戸体本体部に表面材を固定して構成されるものとし、縁部は表面材に一体的に形成されているものであり、このようにすることにより、表面材の着脱が可能となって、意匠性に富んだ戸体とすることができる。
請求項６の発明は、請求項５において、表面材は、金属製のベース体にパネル体を一体化して構成されるものとし、縁部はベース体に一体形成されているものであり、このようにすることにより、パネル体を多様化することを容易に行うことができる。
【発明の効果】
【０００６】
請求項１の発明とすることにより、丁番が外部に露出することがなく優れた外観を備え、かつ、防犯性の高い戸体とすることができる。
請求項２の発明とすることにより、縁部が壊されにくくなって、防犯性が一層優れる。
請求項３の発明とすることにより、一層優れた意匠の戸体とすることができる。
請求項４の発明とすることにより、丁番の軸部も縁部により覆われて、簡単な構成でありながら優れた意匠の戸体となる。
請求項５の発明とすることにより、表面材の着脱が可能となって、意匠性に富んだ戸体とすることができる。
請求項６の発明とすることにより、パネル体を多様化することを容易に行うことができる。
【発明を実施するための最良の形態】
【０００７】
つぎに、本発明の第一の実施の形態について、図１〜４の図面に基づいて説明する。
図面において、１は集合住宅の玄関等の開口部を開閉する戸体であって、該戸体１は、開口部を開閉揺動する構成となっており、金属製の本体部２と、該本体部２の表側（屋外側）に一体化される木製のパネル体３とを備えて構成されており、戸体１の一側縁部（戸尻側部）と開口部の一側部とのあいだに上下方向三箇所に位置して設けられた丁番４により開口部に取り付けられ、戸体１の他側縁部（戸先側部）が丁番４の軸部４ａを支点として表裏（屋内外）方向に開閉揺動するように構成されている。
【０００８】
前記本体部２は、金属製板材（鋼製板材）により構成された表裏（屋内外）一対の板材２ａ、２ｂを、これらのあいだに予め設定される空隙を存するよう折曲して互いに突き合せることにより構成されるが、一対の板材２ａ、２ｂ間にはコア材５が介装されている。そして、本体部２は、表裏面に接着剤を塗布したコア材５を板材２ａ、２ｂで挟み込み、ホットメルト加工することにより板材２ａ、２ｂとコア材５とが一体化されるように設定されている。
尚、２ｃ、２ｄ、２ｅ、２ｆは、本体部２の左右および上下の端面に沿って設けられる骨材である。
さらに、本体部２は、丁番４が取り付けられる側、即ち、戸尻側の端面の表面側部位である戸尻側端面と表面とのあいだのコーナー部が上下方向一体にわたって切り欠かれており、これによって、該凹部に段差状側面２ｇと段差状表面２ｈとを形成するように設定されている。
【０００９】
前記パネル体３は、所定の板厚を有し、かつ、本体部２に対し上下方向には長いが左右方向には短い寸法に設定されたものに形成されており、後述するように、本体部２にパネル体３を一体化したときに、下端縁部同士は略面一の位置関係となるが上端縁部は本体部２上端縁部よりも上方に突出し、また、右端縁部は本体部２の段差状側面２ｇと面一の位置関係となり、左端縁部は本体部２左端縁部よりも右方に位置するように設定されている。これによって、戸体１の上端縁部についてはパネル体３に本体部２との連結代が形成される一方、左右端縁部については本体部表板材（表面）２ａの左右端縁部にパネル体３との連結代が形成されるように構成されている。さらに、パネル体３は、裏面３ａ側と戸尻側となる右端面３ｂとのコーナー部において、丁番４取り付け部位に相当する上下方向三箇所に位置して凹溝状の切り欠き溝３ｃが形成されている。尚、戸体１のドア厚は、パネル体３の板厚と、本体部２における本体部ドア厚との和となるが、本実施の形態では、パネル体３の板厚を厚くして（例えば１０ｍｍ〜２０ｍｍ）パネル体３に彫刻を施す等することのできる厚さが確保され、これによって、戸体１のデザイン性が高くなるようにしている。
【００１０】
６はパネル体３の裏面３ａ側から一体化されるベース体であって、該ベース体６は金属製（例えばスチール製）板材を折曲して形成されており、パネル体３の裏面３ａと略同形状のベース部６ａを備えている。前記ベース体６は、ベース部６ａをパネル体３の裏面に突きあて、頭部がベース部６ａの裏面と面一になる状態でベース部６ａを貫通する螺子６ｂを、複数箇所においてパネル体３の裏面３ａ側から螺合することによりパネル体３と一体化されたものとなっており、これによって、本発明の表面材を構成するように設定されている。尚、ベース体６とパネル体３とは、ベース部６ａとパネル体裏面３ａとのあいだに塗布される接着剤による一体化であってもよく、さらには、前記螺子６ｂによる一体化と接着剤による一体化との両者を実施してもよい。
さらに、ベース部６ａの左右両端縁部および上下端縁部には、それぞれ全長にわたって表側に突出する側片部６ｃ、６ｄ、６ｅ、６ｆが折曲形成され、ベース部６ａと各側片部６ｃ、６ｄ、６ｅ、６ｆにより形成された矩形の凹部にパネル体３が背面側から嵌入するように設定されており、該嵌入した状態で、パネル体３の左右端面３ｄ、３ｂおよび上下端面３ｅ、３ｆと各側片部６ｃ、６ｄ、６ｅ、６ｆとが当接するように設定されている。尚、パネル体３の上下端面３ｅ、３ｆには段差部が形成されており、上下端面３ｅ、３ｆとベース体上下側片部６ｅ、６ｆとのあいだに段差が形成されないように構成されている。
【００１１】
また、ベース体６には、前記左右側片部６ｃ、６ｄの左右方向外端縁部に本発明の縁部に相当する左右の延出片部６ｇ、６ｈがそれぞれ全長にわたって折曲形成されるが、これら、左右の延出片部６ｇ、６ｈは、後述するように、パネル体３とともに本体部２に一体化されたとき、本体部２の左右端縁を越えて左右方向外方に延出するように設定されている。また、左右の延出片部６ｇ、６ｈは、パネル体３を嵌め込んだときパネル体３の表面３ｈと略面一状となるように設定されており、パネル体３とともに戸体１の表面を構成するように設定されている。
さらに、左右の延出片部６ｇ、６ｈの左右端縁部からは、裏面側に向けて折り返された左右の折り返し片部６ｉ、６ｊが形成されている。
尚、戸尻側の右折り返し片部６ｊには、丁番４取り付け部位に相当する上下方向三箇所において切り欠き６ｋが形成されており、丁番４を介した戸体１の開閉作動の過程で、右折り返し片部６ｊが丁番４に干渉してしまうことがないようにしている。さらに、これら切り欠き６ｋ形成部位に対向する右側片部６ｄには、嵌め込まれたパネル体３に形成された切り欠き溝３ｃの溝内に嵌入する部位に位置するようにして当て板６ｍが予め一体的に固定されている。また、左側の延出片部６ｇの裏面側には、当て板６ｎが固定されたスペーサ６ｐが一体的に固定されている。
さらに、パネル体３の上端面３ｅと裏面３ａとで形成されるコーナー部には、左右方向所定箇所に切り欠き溝３ｇが形成されている一方、ベース体ベース部６ａの上端縁部には、前記切り欠き溝３ｇの溝内に嵌入する部位に位置して当て板６ｑが一体的に固定されている。
【００１２】
そして、このようにベース体６にパネル体３を取り付けた表面材を、本体部２に組み込むことで戸体１が構成されることになるが、本体部２に表面材を組み込むにあたり、本体部２の左右端縁部および上下端縁部とには、予め左右および上下の連結部材７、８、９、１０が螺子１１、１２、１３、１４を用いて一体的に固定されている。
【００１３】
つまり、本体部２の左側に固定される左連結部材７は、金属製板材で構成されており、ベース体ベース部６ａの上下方向長さと略同様の長尺体であって、平面視クランク状に折曲形成されている。そして、左連結部材７は、本体部２の表面２ａと平行となる左右片７ａ、７ｂのあいだに、これら左右片７ａ、７ｂに直交する状態でこれらを連結する中間片７ｃが形成されたものになっており、右片７ｂが本体部２の表面（表板材）２ａにおける左側端に螺子１１を用いて固定されている。このとき、中間片７ｃは、本体部２の左端面と面一状態となるように固定され、左片７ａが本体部２の左側面よりも左側（外方）に突出するように設けられている。
【００１４】
一方、本体部２の右側に固定される右連結部材８は、金属製板材で構成されており、ベース体ベース部６ａの上下方向長さと略同様の長尺体であって、Ｌ字形に折曲形成されている。そして、右連結部材８は、一方の脚片８ａを本体部２の表面側における段差状表面２ｈに突き当て、他方の脚片８ｂを段差状側面２ｇに突き当てた状態で、一方脚片８ａ側が本体部２に対して螺子１２を用いて固定されている。このとき、他方脚片８ｂの先端は、本体部表面２ａよりも表面側に突出する長さとなっている。
【００１５】
また、本体部２上側に固定される上連結部材９は、金属製板材で構成されており、パネル体３の左右方向長さと略同様の長尺体であって、Ｌ字形に折曲形成されている。そして、上連結部材９は、一方の脚片９ａを本体部２の上端面に突き当てて螺子１３を用いて固定されている。このとき、他方の脚片９ｂは本体部表面２ａと面一状となって上方に向けて突出配設されている。
【００１６】
さらに、本体部２下側に固定される下連結部材１０は、パネル体３の左右方向長さと略同様の長さを有した長尺状の金属製板材で構成されている。そして、下連結部材１０は、本体部２の下端面に突き当てられて螺子１４を用いて固定されている。このとき、下連結部材１０の表側縁部は、本体部表面２ａよりも表側に突出している。
【００１７】
このように、左右連結部材７、８そして上下連結部材９、１０が装着された本体部２に対し、パネル体３が装着されたベース体６を組み込み、各連結部材７、８、９、１０をベース体６に一体化することで戸体１が構成される。
そして、本体部２にベース体６を組み込んだ状態において、左連結部材７の左片７ａはベース体左延出片部６ｇの裏面側に固定したスペーサ６ｐに対向（当接）し、右連結部材８の他方脚片８ｂの先端はベース体右側片部６ｄに対向（当接）するように設定されている。これによって、パネル体３は、右端面３ｂが本体部段差状側面２ｇと面一（同位置）となり、左端面３ｄが本体部２の左側面よりも右方に変位した部位に位置するように設定されており、パネル体３が対向しない本体部２の左右端縁部が連結部材７、８の連結代（連結部）となるように設定されている。
さらに、上連結部材９の他側脚片９ｂはベース体ベース部６ａの上端縁部に対向（当接）し、下連結部材１０の表側部位はベース体下側片部６ｆに対向（当接）するように設定されている。これによって、パネル体３は、下端面３ｆは本体部２下端面と略面一となり、上端面３ｅは本体部２上端面よりも上側に位置しており、該パネル体３の上端縁部位が上連結部材９の連結代となるように設定されている。
【００１８】
そして、左連結部材７の左片７ａの裏面側から挿入した螺子１１ａを、スペーサ６ｐに設けた当て板６ｎに刻設された螺子孔に螺合せしめることにより、左連結部材７とベース体６との固定がなされている。
また、右連結部材８の他方脚片８ｂ先端側から挿入した螺子１２ａを、右側片部６ｄに設けた当て板６ｍに刻設された螺子孔に螺合せしめることにより、右連結部材８とベース体６との固定がなされるように設定されている。尚、螺子１２ａは、右折り返し片部６ｊに形成された切り欠き６ｋを介して他方脚片８ｂ先端部から挿入するように構成されており、このため、本実施の形態では、丁番４配設部位である上下方向三箇所において螺子１２ａによる固定がなされている。
【００１９】
さらに、上連結部材９の他方脚片９ｂの裏面側から挿入した螺子１３ａを、ベース体ベース部６ａの上端縁部に設けた当て板６ｑに刻設された螺子孔に螺合せしめることにより、上連結部材９とベース体６との固定がなされている。また、下連結部材１０とベース体下側片部６ｆとのあいだは、螺子止め等の適宜固定手段による固定がなされている。
【００２０】
このように、本実施の形態では、表面材としてベース体６に一体化したパネル体３を用いているが、この場合に、本体部２とパネル体３とを連結するにあたりベース体６を用い、左右そして上下の連結部材７、８、９、１０により本体部２とパネル体３とにそれぞれ螺子止め固定されるので、パネル体３の荷重が重くなってもパネル体の脱落等の不具合がないようになっている。
【００２１】
このように組み込まれた戸体１は、玄関等の躯体開口部に設けられる枠体１５に、丁番４を介して取付けられることになるが、丁番４は所謂旗丁番４であって、一方の丁番片４ｂを躯体側である枠体１５に設け、他方の丁番片４ｃを本体部２の右端面に設けることにより、戸体１が枠体に開閉揺動自在に支持されるように設定されている。そして、前記丁番４の軸部４ａは、本体部２の表面２ａ側部位を切り欠いて形成された凹部の表側部位、即ち、右連結部材８とベース体右延出片部６ｈ、右折り返し片部６ｊにより囲繞される丁番配設スペースＳに配されるように設定されている。これによって、丁番４は、ベース体右側片部６ｄから延出し、本体部２の右側面よりも右側にまで突出する右延出片部６ｈの裏面側に位置することになり、ベース体延出片部６ｈにより表側から覆われて、外部から目視できない（外部に露出することがない）ように構成されている。
尚、戸体１側に設けられる丁番片４ｃは、本体部２に設けられる右側部の骨材２ｄに固定されるが、骨材２ｄの内側面には、丁番４の取り付け箇所となる部位に螺子孔が刻設された当て板２ｉが一体的に設けられており、丁番片４ｃは、当て板２ｉの螺子孔に螺子４ｄを螺合することで固定されている。
【００２２】
１５は開口部に設けられた枠体であって、該枠体１５は左右および上下の枠部１５ａ、１５ｂ、１５ｃ、１５ｄとで構成されており、戸体１は、これら各枠部１５ａ、１５ｂ、１５ｃ、１５ｄにより囲繞される空間に内嵌される状態で設けられている。このため、前記丁番４の枠体１５側に固定される丁番片４ｂは、戸体１の閉鎖状態で、丁番片４ｃが固定された戸体１の右端面に近接対向する枠体右枠部１５ｂに固定されている。
そして、前記枠体１５の下枠部１５ｄを除く三方の枠部１５ａ、１５ｂ、１５ｃには、戸体１の裏面（本体部２の裏面）の左右端縁部および上端縁部に突き当たる裏面側戸当り部１５ｅがそれぞれ形成されており、ここに裏面側シール材１６が設けられている。さらに、枠体１５の左右枠部１５ａ、１５ｂおよび上側部１５ｃには、表面側に位置して段差状部１５ｆが形成されており、右枠部１５ｂに形成される段差状部１５ｆは、戸体１側に形成される丁番配設スペースＳとともに丁番軸部４ａの配設スペースとなるように設定されている。
一方、本体部２の左端面よりも左方に突出する左延出片部６ｇの裏面側であって、左連結部材７とベース体６との固定部、そして、本体部２の上端面よりも上方に突出する上連結部材９とベース体６との各固定部は、前記枠体段差状部１５ｆの上側部と左側部とを戸当りとするように設定されている。これによって、左延出片部６ｇと本体部２よりも上方に突出する表面板３とが、枠体１５と本体部２の左端面と上端面とのあいだに形成される隙間を表面側から塞ぐように構成されている。そしてこれら枠体段差状部１５ｆを戸当りとする各部位（左延出片部６ｇの裏面側および表面板３上縁部の裏面側）には、表面側シール材１７が設けられている。これによって、戸体１を閉鎖したときに、裏面側シール材１６による封止とともに表面側シール材１７による封止がなされて気密性が向上するとともに、表面側シール材１７が、左連結部材７とベース体６との固定用の螺子１１ａ、そして、上連結部材９とベース体６との固定用の螺子１３ａを覆うように配されることにより、意匠性のさらなる向上が図れるようになっている。
ここで、枠体１５の各枠部１５ａ、１５ｂ、１５ｃ、１５ｄの表側に面する表片部１５ｇは、本実施の形態では、戸体１の表面、即ち表面板表面３ｈとベース体左右延出片部６ｇ、６ｈとに対して略面一状の位置関係となっており、しかも、丁番４（丁番軸部４ａ）は戸体１の板厚内に位置し、枠体１５の表片部１５ｇよりも裏面側である枠体１５内に位置するように設定されており、これによって、戸体１表面側の意匠が一層向上するように配慮されている。
【００２３】
叙述の如く構成された本形態において、戸体１は、パネル体３をベース体６に嵌合させて構成した表面材の左右（戸先および戸尻）側部に縁部となる左右の延出片部６ｇ、６ｈが形成されており、これらのうち右延出部６ｈは、戸体１と開口部とのあいだに配された丁番４を表側から覆い外部に露出させない構成となっている。この結果、戸体１を丁番４を用いて開口部に開閉揺動自在に支持する状態で取り付けたものでありながら、丁番４が外部に露出することがなく、意匠性の向上が果せるうええ、軸部４ａを破壊される等の惧れもなくなって防犯性が向上する。
【００２４】
さらに、このものにおいて、左右延出片部６ｇ、６ｈは、表面材を構成するベース体６に一体に形成されているものであり、戸体１を抉じ開けようと左右延出片部６ｇ、６ｈを破壊しようとしても、破壊されにくく、防犯性の向上を図ることができる。
【００２５】
また、このものにおいて、縁部である左右延出片部６ｇ、６ｈは、戸体１の表面となるパネル体３表面３ｈと略面一状に形成されているので、意匠性が向上する。
【００２６】
さらに、戸体１の側面に凹部を形成して丁番４配設用のスペースＳを形成する構成としたので、汎用の丁番４を用いた場合でも、パネル体３と面一状の右延出片部６ｈにより丁番軸部４ａを覆い、丁番４を戸体１の板厚内に納めることができ、簡単な構成として簡略化が図れるとともに、一層優れた意匠の戸体１とすることができる。しかもこの場合に、丁番軸部４ａ用のスペースとして本体部２を切り欠いたので、その分パネル体３の板厚を薄くしても右延出片部６ｈにより丁番４を覆うことができ、これによって、パネル体３の板厚が必要以上に厚くなって戸体１が重くなってしまうような不具合がない。
【００２７】
そのうえ、このものでは、ベース体６に左右延出片部６ｇ、６ｈが形成される構成であり、本体部２およびベース体３を共通部材とする一方、パネル体３を種々用意することにより、意匠の異なる戸体１を容易に形成することができる。しかも、戸体１を取り付けたままの状態でベース体６とともにパネル体３を取り外すことができるので、別の意匠が施された表面板３が取り付けられたベース体６を取り付けることにより、容易に戸体の意匠を変化させることができ、さらには、既存の戸体にパネル体３が取り付けられたベース体６を取り付ける（後付けする）ことも可能となり、この場合でも、戸体の意匠の交換を容易に行える。
【００２８】
尚、本発明は前記実施の形態に限定されないことは勿論であって、図５〜図７に示す第二の実施の形態のように構成することもできる。
前記第二の実施の形態における戸体１８は、金属製の表裏一対の板材を用いて構成した本体部１９の表面に、表面材２０を一体化して構成されていることは前記第一の実施の形態と同様であるが、このものでは、表面材２０としてパネル体を用いることなく、金属製の板体のみの構成となっており、該表面材２０の左右両側縁部に左右の縁部２０ａ、２０ｂが形成されている。
尚、本体部１９の構成については前記第一の実施の形態のものと同様であり、ここでの説明は省略する。
【００２９】
そして、このものでは、本体部１９の戸尻側の側面と表面とのコーナー部は切り欠かれて凹部１９ａに形成されており、該凹部１９ａにより形成される空間と、前記空間に連通し、開口部に形成される枠体１５の右側に形成される段差状部１５ｂにより形成される空間とに、丁番４の軸部４ａが配設される構成となっていて、平板状の表面材２０の右縁部２０ｂが丁番軸部４ａを表側から覆うように設定されている。
そして、表面材２０左右の縁部２０ａ、２０ｂの先端縁部には、裏面側に向けて折り返された左右の折り返し片部２０ｃ、２０ｄが形成され、左折り返し片部２０ｃの裏面側には、スペーサ１７ａを介して封止部材１７が取り付けられて、戸体１８に高気密性、高断熱性を付与しており、右折り返し片部２０ｄには丁番４配設部位に対向して切り欠き２０ｅが形成されていて、戸体１が開閉作動する際に、右折り返し片部２０ｄと丁番軸部４ａとの干渉を回避するように構成されている。
【００３０】
また、表面材２０の上縁部は、本体部２の上端面を越えて上方に延出しており、その上端縁からは裏面側に延出する上折り返し片部２０ｆが形成されている。そして、上折り返し片部２０ｆの裏面側には、スペーサ１７ｂを介して封止部材１７が取り付けられて、戸体１８に高気密性、高断熱性を付与するように設定されている。
そして、このように構成したものにおいて、表面材２０の右縁部２０ｂが丁番４を表側から覆うことができて、優れた意匠の戸体１８とすることができる。さらに、外部（表側）から見たとき、軸部４ａが右縁部２０ｂの後方に位置しているうえ、右縁部２０ｂが表面材２０に一体形成されているので、右縁部２０ｂの破壊自体も困難となって、軸部４ａの破壊を一層困難にできて、防犯性が高められる。そのうえ、このものでも、丁番４（丁番軸部４ａ）は戸体１の板厚内に位置し、枠体１５の表片部１５ｇよりも裏面側である枠体１５内に位置するように設定されており、これによって、戸体１表面側の意匠が一層向上するように配慮されている。さらには、枠体１５の表片部１５ｇは、戸体１の表面材２０と略面一状となっていて、戸体１８周辺の外観を一層優れたものにできる。
【００３１】
尚、戸体に設けられる縁部を、第一、第二の実施の形態のように表面材に形成するのではなく、本体部の表面を構成する表面板に直接形成してもよい。そして、このようにした場合でも、戸体の戸尻側の端面の表側部位に凹部を形成しておくことで、平板状の表面板に延設された縁部により丁番を覆うことができて、意匠性に優れる。
尚、戸体の縁部を戸尻側のみに形成して戸先側の端面を平板状とした構成としてもよく、この場合では、表側の封止材を省略した構成となる。このように構成する場合、戸体の上端面についても平板状として封止材を省略する構成としてもよく、設置環境にあわせて適宜選択することが可能である。
【図面の簡単な説明】
【００３２】
【図１】戸体の正面図である。
【図２】戸体の縦断面図である。
【図３】戸体の横断面図である。
【図４】戸体を分解した平面図である。
【図５】第二の実施の形態における戸体の正面図である。
【図６】第二の実施の形態における戸体の縦断面図である。
【図７】第二の実施の形態における戸体の横断面図である。
【符号の説明】
【００３３】
１    戸体
２    本体部
３    パネル体
４    丁番
６    ベース体
６ａ    ベース部
６ｇ    左延出片部
６ｈ    右延出片部
７    左連結部材
１１    螺子
【図１】
2006169876.tif 000003
【図２】
2006169876.tif 000004
【図３】
2006169876.tif 000005
【図４】
2006169876.tif 000006
【図５】
2006169876.tif 000007
【図６】
2006169876.tif 000008
【図７】
2006169876.tif 000009